(57)【要約】【課題】  部品の交換作業を従来より容易化することができる腕時計用バンドを提供する。【解決手段】  腕時計用バンド３０は、腕時計１０の時計本体２０を腕に固定するためのものであって、時計本体２０に取り付けられる２本の本体用バンド４０と、時計本体２０に取り付けられている状態の２本の本体用バンド４０に着脱可能である着脱バンド５０とを備えており、２本の本体用バンド４０は、着脱バンド５０に固定される２つのバックル４２を備えており、着脱バンド５０は、２つのバックル４２にそれぞれ固定される２つの固定部５１を備えており、２つの固定部５１が２つのバックル４２に固定されることによって着脱バンド５０自身を介して２つのバックル４２同士を連結し、２つの固定部５１は、バックル４２に固定されるためにバックル４２の一部が差し込まれる固定用穴５１ａがそれぞれ形成されていることを特徴とする。【選択図】  図１
2011156271.tif 000002
【特許請求の範囲】
【請求項１】
腕時計の時計本体を腕に固定するための腕時計用バンドであって、
前記時計本体に取り付けられる本体用バンドと、前記時計本体に取り付けられている状態の前記本体用バンドに着脱可能である着脱バンドとを備えており、
前記本体用バンドは、前記着脱バンドに固定される２つの本体用バンド側固定部を備えており、
前記着脱バンドは、前記２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結することを特徴とする腕時計用バンド。
【請求項２】
前記２つの着脱バンド側固定部のうち少なくとも一方は、前記本体用バンド側固定部に固定されるために前記本体用バンド側固定部の一部が差し込まれる固定用穴が形成されていることを特徴とする請求項１に記載の腕時計用バンド。
【請求項３】
前記２つの着脱バンド側固定部は、前記固定用穴がそれぞれ形成されていることを特徴とする請求項２に記載の腕時計用バンド。
【請求項４】
腕時計の時計本体に取り付けられる本体用バンドを備えていて前記時計本体を腕に固定するための腕時計用バンドの部品であり、前記時計本体に取り付けられている状態の本体用バンドに着脱可能である着脱バンドであって、
前記本体用バンドの２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結することを特徴とする着脱バンド。
【請求項５】
請求項１から請求項３までの何れかに記載の腕時計用バンドと、前記本体用バンドが取り付けられる時計本体とを備えていることを特徴とする腕時計。
【発明の詳細な説明】
【技術分野】
【０００１】
本発明は、腕時計の時計本体を腕に固定するための腕時計用バンドに関する。
【背景技術】
【０００２】
従来、腕時計の時計本体を腕に固定するための腕時計用バンドとして、時計本体に取り付けられる２本の革ベルトを備えており、２本の革ベルトのうち一方の革ベルトに穴が形成されており、この穴に差し込まれる留め金具が他方の革ベルトに備えられている腕時計用革ベルトが知られている（例えば、特許文献１参照。）。また、時計ケースの一端に取り付けられる第１のバンド片と、長手方向に複数個の調節用つく穴が配列されており時計ケースの他端に取り付けられる第２のバンド片と、第２のバンド片の調節用つく穴の一つに差し込まれるつく棒を有する調節用尾錠を端部に取付けた第３のバンド片とを備えており、第２のバンド片の端部には第３のバンド片が挿通されているバンド保持輪が固定されており、第３のバンド片には長手方向に複数個の装着用つく穴が配列されており、この装着用つく穴の一つに差し込まれるつく棒を有する時計装着用尾錠が第１のバンド片に備えられている時計バンドも知られている（例えば、特許文献２参照。）。
【先行技術文献】
【特許文献】
【０００３】
【特許文献１】特開２００６−２１２４０２号公報
【特許文献２】実開平６−６６３２８号公報
【発明の概要】
【発明が解決しようとする課題】
【０００４】
しかしながら、特許文献１に記載されている腕時計用革ベルトにおいては、部品である革ベルトが交換される場合、時計本体から革ベルトが取り外されなければならず、交換作業が大変であるという問題がある。また、特許文献２に記載されている時計バンドにおいては、第２のバンド片のバンド保持輪の幅が第３のバンド片の調節用尾錠の穴の幅より大きくなっており、時計ケースに取り付けられている状態の第２のバンド片から第３のバンド片が取り外されることが第３のバンド片の調節用尾錠が第２のバンド片のバンド保持輪に引っ掛かることによって防止されるので、部品である第３のバンド片が交換される場合、時計本体から第２のバンド片が取り外されなければならず、交換作業が大変であるという問題がある。
【０００５】
そこで、本発明は、部品の交換作業を従来より容易化することができる腕時計用バンドを提供することを目的とする。
【課題を解決するための手段】
【０００６】
本発明の腕時計用バンドは、腕時計の時計本体を腕に固定するための腕時計用バンドであって、前記時計本体に取り付けられる本体用バンドと、前記時計本体に取り付けられている状態の前記本体用バンドに着脱可能である着脱バンドとを備えており、前記本体用バンドは、前記着脱バンドに固定される２つの本体用バンド側固定部を備えており、前記着脱バンドは、前記２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結することを特徴とする。
【０００７】
この構成により、本発明の腕時計用バンドは、部品である着脱バンドが交換される場合、時計本体から本体用バンドが取り外される必要がないので、部品の交換作業を従来より容易化することができる。
【０００８】
また、本発明の腕時計用バンドの前記２つの着脱バンド側固定部のうち少なくとも一方は、前記本体用バンド側固定部に固定されるために前記本体用バンド側固定部の一部が差し込まれる固定用穴が形成されていても良い。
【０００９】
この構成の場合、本発明の腕時計用バンドは、着脱バンドに固定用穴が形成されているので、固定用穴に代えて他の構造によって着脱バンドが本体用バンドに固定される場合と比較して、使用されることによって着脱バンドの固定用穴の周辺に汚損や破損が生じ易い。したがって、本発明の腕時計用バンドは、着脱バンドの交換作業を従来より容易化することができることが有益である。
【００１０】
また、本発明の腕時計用バンドの前記２つの着脱バンド側固定部は、前記固定用穴がそれぞれ形成されていても良い。
【００１１】
この構成の場合、本発明の腕時計用バンドは、着脱バンドの２つの着脱バンド側固定部の両方に固定用穴が形成されているので、本体用バンドと比較して着脱バンドに汚損や破損が特に生じ易い。したがって、本発明の腕時計用バンドは、着脱バンドの交換作業を従来より容易化することができることが特に有益である。
【００１２】
本発明の着脱バンドは、腕時計の時計本体に取り付けられる本体用バンドを備えていて前記時計本体を腕に固定するための腕時計用バンドの部品であり、前記時計本体に取り付けられている状態の本体用バンドに着脱可能である着脱バンドであって、前記本体用バンドの２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結することを特徴とする。
【００１３】
この構成により、本発明の着脱バンドは、交換される場合、時計本体から取り外される必要がないので、腕時計用バンドの部品の交換作業を従来より容易化することができる。
【００１４】
本発明の腕時計は、前記腕時計用バンドと、前記本体用バンドが取り付けられる時計本体とを備えていることを特徴とする。
【００１５】
この構成により、本発明の腕時計は、部品である着脱バンドが交換される場合、時計本体から着脱バンドが取り外される必要がないので、部品の交換作業を従来より容易化することができる。
【発明の効果】
【００１６】
本発明の腕時計用バンドは、部品の交換作業を従来より容易化することができる。
【図面の簡単な説明】
【００１７】
【図１】本発明の第１の実施の形態に係る腕時計の正面図である。
【図２】利用者の腕に固定されている状態の図１に示す腕時計を示す図である。
【図３】着脱バンドが本体用バンドから取り外されている状態の図１に示す腕時計の正面図である。
【図４】本発明の第２の実施の形態に係る腕時計の正面図である。
【図５】本発明の第３の実施の形態に係る腕時計の正面図である。
【図６】本発明の第４の実施の形態に係る腕時計の正面図である。
【図７】図６に示す本体用バンドの側面図である。
【発明を実施するための形態】
【００１８】
以下、本発明の実施の形態について、図面を用いて説明する。
【００１９】
（第１の実施の形態）
まず、本実施の形態に係る腕時計の構成について説明する。
【００２０】
図１は、本実施の形態に係る腕時計１０の正面図である。
【００２１】
図１に示すように、腕時計１０は、時計本体２０と、時計本体２０を腕に固定するための腕時計用バンド３０と、時計本体２０に腕時計用バンド３０を取り付けるための２本のバネ棒１１とを備えている。
【００２２】
時計本体２０は、時間を表示する表示部２１と、表示部２１の両側に配置されておりバネ棒１１が取り付けられるバネ棒取付部２２とを備えている。
【００２３】
腕時計用バンド３０は、バネ棒１１を介して時計本体２０に取り付けられる２本の本体用バンド４０と、時計本体２０に取り付けられている状態の本体用バンド４０に着脱可能である革製の着脱バンド５０とを備えている。
【００２４】
本体用バンド４０は、革製のバンド本体４１と、バンド本体４１の先端に取り付けられた本発明の本体用バンド側固定部としての金属製のバックル４２とを備えている。
【００２５】
バンド本体４１は、バネ棒１１が挿入される図示していない穴が形成されたバネ棒挿入部４１ａと、バックル４２で留められた着脱バンド５０の先端が差し込まれるバンド差込部４１ｂと、バックル４２が取り付けられるバックル取付部４１ｃとを備えている。バンド本体４１は、バネ棒１１を軸として回転可能にバネ棒１１に支持されている。
【００２６】
バックル４２は、バックル取付部４１ｃに形成されている図示していない穴に挿入されているバネ棒４２ａと、バネ棒４２ａを軸として回転可能にバネ棒４２ａに支持されているバックル本体４２ｂと、バネ棒４２ａを軸として回転可能にバネ棒４２ａに支持されているつく棒４２ｃとを備えている。バックル本体４２ｂは、着脱バンド５０が挿入されるバンド挿入穴４２ｄが形成されている
【００２７】
着脱バンド５０は、本体用バンド４０のバックル４２に固定される本発明の着脱バンド側固定部としての固定部５１を両端に備えている。固定部５１は、バックル４２に固定されるためにバックル４２の一部であるつく棒４２ｃが差し込まれる固定用穴５１ａが複数形成されている。
【００２８】
次に、腕時計１０の使用方法について説明する。
【００２９】
図２は、利用者の腕９０に固定されている状態の腕時計１０を示す図である。
【００３０】
図２に示すように、腕時計用バンド３０は、着脱バンド５０の固定部５１がバックル４２のバンド挿入穴４２ｄに挿入されて、バックル４２のつく棒４２ｃが固定部５１の固定用穴５１ａに挿入されることによって、時計本体２０（図１参照。）を腕９０に固定するようになっている。なお、着脱バンド５０の先端は、本体用バンド４０のバンド差込部４１ｂに差し込まれる。
【００３１】
腕時計１０は、着脱バンド５０の複数の固定用穴５１ａのうちバックル４２のつく棒４２ｃが挿入される固定用穴５１ａが変更されることによって、輪状になったときの内径が変更される。したがって、腕時計１０は、様々な太さの腕９０に固定されることができる。
【００３２】
このように、腕時計用バンド３０の着脱バンド５０は、本体用バンド４０の２つのバックル４２に２つの固定部５１が固定されることによって着脱バンド５０自身を介して２つのバックル４２同士を連結するようになっている。
【００３３】
次に、着脱バンド５０の交換方法について説明する。
【００３４】
図３は、着脱バンド５０が本体用バンド４０から取り外されている状態の腕時計１０を示す図である。
【００３５】
図３に示すように、着脱バンド５０は、本体用バンド４０のバンド差込部４１ｂから先端が抜き取られて、バックル４２のつく棒４２ｃが固定部５１の固定用穴５１ａから抜き取られた後、固定部５１がバックル４２のバンド挿入穴４２ｄから抜き取られることによって、本体用バンド４０から取り外される。
【００３６】
そして、腕時計１０は、取り外された着脱バンド５０が別の着脱バンド５０と取り換えられ、取り換え後の着脱バンド５０が本体用バンド４０に取り付けられることによって、着脱バンド５０が交換される。
【００３７】
以上に説明したように、腕時計１０は、部品である着脱バンド５０が交換される場合、時計本体２０から本体用バンド４０が取り外される必要がないので、部品の交換作業を従来より容易化することができる。
【００３８】
すなわち、腕時計１０は、時計本体２０から本体用バンド４０が取り外される場合には、バネ棒１１を取り外すための専用の工具が使用される必要があるが、着脱バンド５０の交換作業においては時計本体２０から本体用バンド４０が取り外される必要がないので、バネ棒１１を取り外すための専門の工具が使用される必要がない。また、着脱バンド５０の交換作業は、腕９０から腕時計１０を取り外して再び腕９０に腕時計１０を固定する作業、すなわち本体用バンド４０に対する着脱バンド５０の脱着作業と同様の作業で可能である。したがって、利用者は、腕９０に対して腕時計１０を脱着する作業を実行することができるのであれば、問題なく着脱バンド５０の交換作業を実行することができる。
【００３９】
なお、着脱バンド５０は、比較的短く小さいので、交換用として利用者に持ち運ばれたとしても、利用者の負担にはなり難い。
【００４０】
また、腕時計用バンド３０は、着脱バンド５０に固定用穴５１ａが形成されているので、固定用穴５１ａに代えて他の構造によって着脱バンド５０が本体用バンド４０に固定される場合と比較して、使用されることによって着脱バンド５０の固定用穴５１ａの周辺に汚損や破損が生じ易い。つまり、腕時計用バンド３０は、着脱バンド５０がバックル４２に対して何度も着脱されることによって、着脱バンド５０の固定用穴５１ａがバックル４２のつく棒４２ｃによって徐々に変形させられてしまうので、着脱バンド５０の固定用穴５１ａの周辺に汚損や破損が生じ易い。したがって、腕時計用バンド３０は、着脱バンド５０の交換作業を従来より容易化することができることが有益である。
【００４１】
また、腕時計用バンド３０は、着脱バンド５０の２つの着脱バンド側固定部の両方に固定用穴５１ａが形成されているので、本体用バンド４０と比較して着脱バンド５０に汚損や破損が特に生じ易い。したがって、腕時計用バンド３０は、着脱バンド５０の交換作業を従来より容易化することができることが特に有益である。
【００４２】
なお、着脱バンド５０は、汚損や破損によって交換されるだけではなく、デザイン面から交換されるようになっていても良い。例えば、利用者は、仕事時に落ち着いたデザインの着脱バンド５０を取り付け、仕事後のデート時にお洒落なデザインの着脱バンド５０を取り付けるなど、気分や場面などに応じて腕時計１０をコーディネートすることができる。
【００４３】
腕時計１０は、着脱バンド５０が様々なデザインのものに交換されることによって様々なデザインに変更されることができる。したがって、利用者は、腕時計１０と、様々なデザインの着脱バンド５０とを所有することによって、デザインの異なる沢山の腕時計を所有する必要がなくなる。
【００４４】
着脱バンド５０のデザインとしては、例えば、色、模様、材質を異ならせたものや、本体用バンド４０との固定の妨げとならない程度に形状を異ならせたものなどがある。例えば、着脱バンド５０は、正面の中央に図形が描かれていても良い。
【００４５】
本体用バンド４０および着脱バンド５０は、着脱バンド５０が目立ち過ぎないように互いに同様なデザインが施されていても良いが、着脱バンド５０が目立つように互いに異なるデザインが施されていても良い。また、２本の本体用バンド４０も、互いに同様なデザインが施されていても良いが、互いに異なるデザインが施されていても良い。例えば、腕時計用バンド３０は、２本の本体用バンド４０のうち一方が青色にされ、他方が赤色にされ、着脱バンド５０が白色にされることによって、フランスの国旗のようなデザインにされても良い。
【００４６】
なお、腕時計用バンド３０は、時計本体２０と組み合わされて腕時計１０として販売されても良いし、交換用などとして単体で販売されても良い。また、着脱バンド５０は、本体用バンド４０と組み合わされて腕時計用バンド３０として販売されても良いし、交換用などとして単体で販売されても良い。
【００４７】
（第２の実施の形態）
本実施の形態に係る腕時計の構成について説明する。なお、本実施の形態に係る腕時計の構成のうち、第１の実施の形態に係る腕時計１０（図１参照。）の構成と同様な構成については、腕時計１０の構成と同一の符号を付して、詳細な説明を省略する。
【００４８】
図４は、本実施の形態に係る腕時計１１０の正面図である。
【００４９】
図４に示すように、腕時計１１０の構成は、時計本体２０を腕に固定するための腕時計用バンド１３０を、腕時計用バンド３０（図１参照。）に代えて腕時計１０（図１参照。）が備えた構成と同様である。
【００５０】
腕時計用バンド１３０の構成は、バネ棒１１を介して時計本体２０に取り付けられる本体用バンド１４０と、時計本体２０に取り付けられている状態の本体用バンド１４０に着脱可能である着脱バンド１５０とを、２本の本体用バンド４０（図１参照。）のうちの１本と、着脱バンド５０（図１参照。）とに代えて腕時計用バンド３０が備えた構成と同様である。
【００５１】
着脱バンド１５０の構成は、バンド本体１５１の先端に取り付けられた本発明の着脱バンド側固定部としてのバックル１５２と、バックル１５２で留められた本体用バンド１４０の先端が差し込まれるバンド差込部１５１ａと、バックル１５２が取り付けられるバックル取付部１５１ｂとを、２つの固定部５１（図１参照。）のうちの１つに代えて着脱バンド５０が備えた構成と同様である。
【００５２】
バックル１５２は、バックル取付部１５１ｂに形成されている図示していない穴に挿入されているバネ棒１５２ａと、バネ棒１５２ａを軸として回転可能にバネ棒１５２ａに支持されているバックル本体１５２ｂと、バネ棒１５２ａを軸として回転可能にバネ棒１５２ａに支持されているつく棒１５２ｃとを備えている。バックル本体１５２ｂは、本体用バンド１４０が挿入されるバンド挿入穴１５２ｄが形成されている
【００５３】
本体用バンド１４０の構成は、時計本体２０とは反対側の先端に配置されて着脱バンド１５０のバックル１５２に固定される本発明の本体用バンド側固定部としての固定部１４１を、バンド差込部４１ｂ（図１参照。）、バックル取付部４１ｃ（図１参照。）およびバックル４２（図１参照。）に代えて本体用バンド４０が備えた構成と同様である。
【００５４】
固定部１４１は、バックル１５２に固定されるためにバックル１５２の一部であるつく棒１５２ｃが差し込まれる固定用穴１４１ａが複数形成されている。
【００５５】
なお、腕時計１１０の使用方法および着脱バンド１５０の交換方法については、第１の実施の形態に係る腕時計１０（図１参照。）の使用方法および着脱バンド５０（図１参照。）の交換方法と同様であるので、説明を省略する。
【００５６】
以上に説明したように、腕時計１１０は、部品である着脱バンド１５０が交換される場合、時計本体２０から本体用バンド４０および本体用バンド１４０が取り外される必要がないので、部品の交換作業を従来より容易化することができる。
【００５７】
また、腕時計用バンド１３０は、着脱バンド１５０に固定用穴５１ａが形成されているので、固定用穴５１ａに代えて他の構造によって着脱バンド１５０が本体用バンド４０に固定される場合と比較して、使用されることによって着脱バンド１５０の固定用穴５１ａの周辺に汚損や破損が生じ易い。したがって、腕時計用バンド１３０は、着脱バンド１５０の交換作業を従来より容易化することができることが有益である。
【００５８】
（第３の実施の形態）
本実施の形態に係る腕時計の構成について説明する。なお、本実施の形態に係る腕時計の構成のうち、第２の実施の形態に係る腕時計１１０（図４参照。）の構成と同様な構成については、腕時計１１０の構成と同一の符号を付して、詳細な説明を省略する。
【００５９】
図５は、本実施の形態に係る腕時計２１０の正面図である。
【００６０】
図５に示すように、腕時計２１０の構成は、時計本体２０を腕に固定するための腕時計用バンド２３０を、腕時計用バンド１３０（図４参照。）に代えて腕時計１１０（図４参照。）が備えた構成と同様である。
【００６１】
腕時計用バンド２３０の構成は、本体用バンド１４０と、時計本体２０に取り付けられている状態の本体用バンド１４０に着脱可能である着脱バンド２５０とを、本体用バンド４０（図４参照。）と、着脱バンド１５０（図４参照。）とに代えて腕時計用バンド１３０が備えた構成と同様である。
【００６２】
着脱バンド２５０の構成は、バンド本体１５１の先端に取り付けられた本発明の着脱バンド側固定部としてのバックル１５２と、バックル１５２で留められた本体用バンド１４０の先端が差し込まれるバンド差込部１５１ａと、バックル１５２が取り付けられるバックル取付部１５１ｂとを、固定部５１（図４参照。）に代えて着脱バンド１５０が備えた構成と同様である。
【００６３】
なお、腕時計２１０の使用方法および着脱バンド２５０の交換方法については、第１の実施の形態に係る腕時計１０（図１参照。）の使用方法および着脱バンド５０（図１参照。）の交換方法と同様であるので、説明を省略する。
【００６４】
以上に説明したように、腕時計２１０は、部品である着脱バンド２５０が交換される場合、時計本体２０から本体用バンド１４０が取り外される必要がないので、部品の交換作業を従来より容易化することができる。
【００６５】
（第４の実施の形態）
本実施の形態に係る腕時計の構成について説明する。なお、本実施の形態に係る腕時計の構成のうち、第１の実施の形態に係る腕時計１０（図１参照。）の構成と同様な構成については、腕時計１０の構成と同一の符号を付して、詳細な説明を省略する。
【００６６】
図６は、本実施の形態に係る腕時計３１０の正面図である。
【００６７】
図６に示すように、腕時計３１０の構成は、時計本体２０を腕に固定するための腕時計用バンド３３０を、腕時計用バンド３０（図１参照。）に代えて腕時計１０（図１参照。）が備えた構成と同様である。
【００６８】
腕時計用バンド３３０の構成は、バネ棒１１を介して時計本体２０に取り付けられる１本の本体用バンド３４０を、２本の本体用バンド４０（図１参照。）に代えて腕時計用バンド３０が備えた構成と同様である。
【００６９】
図７は、本体用バンド３４０の側面図である。
【００７０】
図６および図７に示すように、本体用バンド３４０は、革製のバンド本体３４１と、バンド本体３４１の両端に取り付けられた本発明の本体用バンド側固定部としての金属製のバックル４２とを備えている。
【００７１】
バンド本体３４１は、バックル４２で留められた着脱バンド５０の先端が差し込まれる２つのバンド差込部４１ｂと、バックル４２が取り付けられる２つのバックル取付部４１ｃと、バネ棒１１を固定するバネ棒固定部３４１ａとを備えている。バネ棒固定部３４１ａは、バネ棒１１が溝３４１ｂに挿入された後、対向する２つの先端部３４１ｃが互いに留められることによって、バネ棒１１を固定するようになっている。対向する２つの先端部３４１ｃを互いに留める構造としては、例えば面ファスナーやドットボタンなどの構造がある。
【００７２】
腕時計３１０は、上述したように本体用バンドの本数が第１の実施の形態に係る腕時計１０（図１参照。）と異なるが、腕時計１０と同様の作用効果を得ることができる。
【００７３】
腕時計３１０は、腕時計用バンド３３０におけるバックルの配置が、第１の実施の形態に係る腕時計用バンド３０（図１参照。）におけるバックルの配置と同様になっているが、第２の実施の形態に係る腕時計用バンド１３０（図４参照。）におけるバックルの配置や、第３の実施の形態に係る腕時計用バンド２３０（図５参照。）におけるバックルの配置と同様になっていても良い。
【００７４】
なお、バンドは、上記各実施の形態において革製であるが、他の材料で構成されていても良い。例えば、バンドは、金属、樹脂、木材、布、人工皮革などで構成されていても良い。また、バンドは、上記各実施の形態において示した形状以外の形状で構成されていても良い。
【００７５】
また、バックルは、上記各実施の形態において金属製であるが、他の材料で構成されていても良い。例えば、バックルは、樹脂、木材などで構成されていても良く、革、布、人工皮革などで表面が覆われていても良い。また、バックルは、上記各実施の形態において示した形状以外の形状で構成されていても良い。
【００７６】
また、腕時計用バンドは、本発明を実現することができる範囲であれば、上記各実施の形態において示した構造以外の構造であっても良い。
【００７７】
例えば、本発明の本体用バンド側固定部および着脱バンド側固定部は、互いに固定可能な構造であれば、上記各実施の形態において示した構造以外の構造であっても良い。例えば、面ファスナーやドットボタンなどの構造であっても良い。
【符号の説明】
【００７８】
１０  腕時計
２０  時計本体
３０  腕時計用バンド
４０  本体用バンド
４２  バックル（本体用バンド側固定部）
５０  着脱バンド
５１  固定部（着脱バンド側固定部）
５１ａ  固定用穴
９０  腕
１１０  腕時計
１３０  腕時計用バンド
１４０  本体用バンド
１４１  固定部（本体用バンド側固定部）
１４１ａ  固定用穴
１５０  着脱バンド
１５２  バックル（着脱バンド側固定部）
２１０  腕時計
２３０  腕時計用バンド
２５０  着脱バンド
３１０  腕時計
３３０  腕時計用バンド
３４０  本体用バンド
【図１】
2011156271.tif 000003
【図２】
2011156271.tif 000004
【図３】
2011156271.tif 000005
【図４】
2011156271.tif 000006
【図５】
2011156271.tif 000007
【図６】
2011156271.tif 000008
【図７】
2011156271.tif 000009
【手続補正書】
【提出日】平成22年3月30日(2010.3.30)
【手続補正１】
【補正対象書類名】明細書
【補正対象項目名】０００６
【補正方法】変更
【補正の内容】
【０００６】
本発明の腕時計用バンドは、腕時計の時計本体を腕に固定するための腕時計用バンドであって、前記時計本体に取り付けられる本体用バンドと、前記時計本体に取り付けられている状態の前記本体用バンドに着脱可能である着脱バンドとを備えており、前記本体用バンドは、前記着脱バンドに固定される２つの本体用バンド側固定部を備えており、前記着脱バンドは、前記２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結し、前記２つの着脱バンド側固定部は、前記本体用バンド側固定部に固定されるために前記本体用バンド側固定部の一部が差し込まれる固定用穴がそれぞれ形成されていることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】変更
【補正の内容】
【００１２】
本発明の着脱バンドは、腕時計の時計本体に取り付けられる本体用バンドを備えていて前記時計本体を腕に固定するための腕時計用バンドの部品であり、前記時計本体に取り付けられている状態の本体用バンドに着脱可能である着脱バンドであって、前記本体用バンドの２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結し、前記２つの着脱バンド側固定部は、前記本体用バンド側固定部に固定されるために前記本体用バンド側固定部の一部が差し込まれる固定用穴がそれぞれ形成されていることを特徴とする。
【手続補正５】
【補正対象書類名】明細書
【補正対象項目名】００１７
【補正方法】変更
【補正の内容】
【００１７】
【図１】本発明の第１の実施の形態に係る腕時計の正面図である。
【図２】利用者の腕に固定されている状態の図１に示す腕時計を示す図である。
【図３】着脱バンドが本体用バンドから取り外されている状態の図１に示す腕時計の    正面図である。
【図４】本発明の第１の参考の形態に係る腕時計の正面図である。
【図５】本発明の第２の参考の形態に係る腕時計の正面図である。
【図６】本発明の第２の実施の形態に係る腕時計の正面図である。
【図７】図６に示す本体用バンドの側面図である。
【手続補正６】
【補正対象書類名】明細書
【補正対象項目名】００４７
【補正方法】変更
【補正の内容】
【００４７】
（第１の参考の形態）
本参考の形態に係る腕時計の構成について説明する。なお、本参考の形態に係る腕時計の構成のうち、第１の実施の形態に係る腕時計１０（図１参照。）の構成と同様な構成については、腕時計１０の構成と同一の符号を付して、詳細な説明を省略する。
【手続補正７】
【補正対象書類名】明細書
【補正対象項目名】００４８
【補正方法】変更
【補正の内容】
【００４８】
図４は、本参考の形態に係る腕時計１１０の正面図である。
【手続補正８】
【補正対象書類名】明細書
【補正対象項目名】００５１
【補正方法】変更
【補正の内容】
【００５１】
着脱バンド１５０の構成は、バンド本体１５１の先端に取り付けられたバックル１５２と、バックル１５２で留められた本体用バンド１４０の先端が差し込まれるバンド差込部１５１ａと、バックル１５２が取り付けられるバックル取付部１５１ｂとを、２つの固定部５１（図１参照。）のうちの１つに代えて着脱バンド５０が備えた構成と同様である。
【手続補正９】
【補正対象書類名】明細書
【補正対象項目名】００５３
【補正方法】変更
【補正の内容】
【００５３】
本体用バンド１４０の構成は、時計本体２０とは反対側の先端に配置されて着脱バンド１５０のバックル１５２に固定される固定部１４１を、バンド差込部４１ｂ（図１参照。）、バックル取付部４１ｃ（図１参照。）およびバックル４２（図１参照。）に代えて本体用バンド４０が備えた構成と同様である。
【手続補正１０】
【補正対象書類名】明細書
【補正対象項目名】００５８
【補正方法】変更
【補正の内容】
【００５８】
（第２の参考の形態）
本参考の形態に係る腕時計の構成について説明する。なお、本参考の形態に係る腕時計の構成のうち、第１の参考の形態に係る腕時計１１０（図４参照。）の構成と同様な構成については、腕時計１１０の構成と同一の符号を付して、詳細な説明を省略する。
【手続補正１１】
【補正対象書類名】明細書
【補正対象項目名】００５９
【補正方法】変更
【補正の内容】
【００５９】
図５は、本参考の形態に係る腕時計２１０の正面図である。
【手続補正１２】
【補正対象書類名】明細書
【補正対象項目名】００６２
【補正方法】変更
【補正の内容】
【００６２】
着脱バンド２５０の構成は、バンド本体１５１の先端に取り付けられたバックル１５２と、バックル１５２で留められた本体用バンド１４０の先端が差し込まれるバンド差込部１５１ａと、バックル１５２が取り付けられるバックル取付部１５１ｂとを、固定部５１（図４参照。）に代えて着脱バンド１５０が備えた構成と同様である。
【手続補正１３】
【補正対象書類名】明細書
【補正対象項目名】００６５
【補正方法】変更
【補正の内容】
【００６５】
（第２の実施の形態）
本実施の形態に係る腕時計の構成について説明する。なお、本実施の形態に係る腕時計の構成のうち、第１の実施の形態に係る腕時計１０（図１参照。）の構成と同様な構成については、腕時計１０の構成と同一の符号を付して、詳細な説明を省略する。
【手続補正１４】
【補正対象書類名】明細書
【補正対象項目名】００７３
【補正方法】変更
【補正の内容】
【００７３】
腕時計３１０は、腕時計用バンド３３０におけるバックルの配置が、第１の実施の形態に係る腕時計用バンド３０（図１参照。）におけるバックルの配置と同様になっているが、第１の参考の形態に係る腕時計用バンド１３０（図４参照。）におけるバックルの配置や、第２の参考の形態に係る腕時計用バンド２３０（図５参照。）におけるバックルの配置と同様になっていても良い。
【手続補正１５】
【補正対象書類名】明細書
【補正対象項目名】００７８
【補正方法】変更
【補正の内容】
【００７８】
１０  腕時計
２０  時計本体
３０  腕時計用バンド
４０  本体用バンド
４２  バックル（本体用バンド側固定部）
５０  着脱バンド
５１  固定部（着脱バンド側固定部）
５１ａ  固定用穴
９０  腕
３１０  腕時計
３３０  腕時計用バンド
３４０  本体用バンド
【手続補正１６】
【補正対象書類名】特許請求の範囲
【補正対象項目名】全文
【補正方法】変更
【補正の内容】
【特許請求の範囲】
【請求項１】
腕時計の時計本体を腕に固定するための腕時計用バンドであって、
前記時計本体に取り付けられる本体用バンドと、前記時計本体に取り付けられている状態の前記本体用バンドに着脱可能である着脱バンドとを備えており、
前記本体用バンドは、前記着脱バンドに固定される２つの本体用バンド側固定部を備えており、
前記着脱バンドは、前記２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結し、
前記２つの着脱バンド側固定部は、前記本体用バンド側固定部に固定されるために前記本体用バンド側固定部の一部が差し込まれる固定用穴がそれぞれ形成されていることを特徴とする腕時計用バンド。
【請求項２】
腕時計の時計本体に取り付けられる本体用バンドを備えていて前記時計本体を腕に固定するための腕時計用バンドの部品であり、前記時計本体に取り付けられている状態の本体用バンドに着脱可能である着脱バンドであって、
前記本体用バンドの２つの本体用バンド側固定部にそれぞれ固定される２つの着脱バンド側固定部を備えており、前記２つの着脱バンド側固定部が前記２つの本体用バンド側固定部に固定されることによって前記着脱バンド自身を介して前記２つの本体用バンド側固定部同士を連結し、
前記２つの着脱バンド側固定部は、前記本体用バンド側固定部に固定されるために前記本体用バンド側固定部の一部が差し込まれる固定用穴がそれぞれ形成されていることを特徴とする着脱バンド。
【請求項３】
請求項１に記載の腕時計用バンドと、前記本体用バンドが取り付けられる時計本体とを備えていることを特徴とする腕時計。